(57)【特許請求の範囲】
【請求項１】
測定構成を処理するための通信デバイスであって、
命令を格納する記憶部と、
前記記憶部に結合され、前記記憶部に格納される前記命令を実行するように構成される処理手段と、
を備え、
前記命令は、
マスター基地局およびセカンダリ基地局と通信する命令と、
前記マスター基地局および前記セカンダリ基地局との通信の実行中に、前記セカンダリ基地局に関するリンク障害を検出する命令と、
前記リンク障害の検出に応答して、前記マスター基地局の第１の搬送波を測定するための第１の測定構成を保持し、前記セカンダリ基地局の第２の搬送波を測定するための第２の測定構成を削除する命令と、
前記リンク障害を示すメッセージを前記マスター基地局に送信する命令と、
第２の搬送波の削除された第２の測定構成の測定リポートを送信しない命令と、
を含む、通信デバイス。
【請求項２】
前記第１の測定構成は、前記マスター基地局によって送信される第１のRRCConnectionReconfigurationによって構成され、前記第２の測定構成は、前記マスター基地局によって送信される第２のRRCConnectionReconfigurationによって構成される、
請求項１に記載の通信デバイス。
【請求項３】
前記命令はさらに、
前記第２の搬送波上の前記セカンダリ基地局のセルの構成をリリースする命令、
を含む、請求項１に記載の通信デバイス。
【請求項４】
前記命令はさらに、
前記第２の搬送波を測定するための第３の測定構成を保持する命令、
を含む、請求項１に記載の通信デバイス。
【請求項５】
前記第２の測定構成は、前記マスター基地局が前記第２の搬送波上の前記セカンダリ基地局のセルをリリースするか、または前記セルを前記セカンダリ基地局の別のセルに替えるためのレポート・トリガ・イベント（reporting  triggering  event）を含む、
請求項１に記載の通信デバイス。
【発明の詳細な説明】
【技術分野】
【０００１】
本願は、２０１４年５月１３日に出願された米国仮出願第６１／９９２，２４６号の利益を主張し、その内容を引用により本明細書に援用する。
【０００２】
本発明は、無線通信システムにおいて用いられる通信デバイスに関し、より詳細には、無線通信システムにおいて測定構成（measurement  configuration）を処理する通信デバイスに関する。
【背景技術】
【０００３】
３ＧＰＰ（3rd  Generation  Partnership  Project）リリース８規格および／または３ＧＰＰリリース９規格をサポートするロング・ターム・エボリューション（ＬＴＥ）システムは、３ＧＰＰにより、ＵＭＴＳ（universal  mobile  telecommunications  system）の後継として、ＵＭＴＳの性能をさらに向上してユーザーの高まる要求を満たすために開発された。ＬＴＥシステムは新しい無線インターフェースと新しい無線ネットワークアーキテクチャを含み、このアーキテクチャでは、高いデータ転送速度と、少ない待ち時間と、パケット最適化と、システムの容量およびカバレッジの改善とが提供される。ＬＴＥシステムにおいて、Ｅ−ＵＴＲＡＮ（evolved  universal  terrestrial  radio  access  network）として知られる無線アクセスネットワークは複数のｅＮＢ（evolved  Node  B）を含み、ｅＮＢは、複数のユーザーイクイップメント（ＵＥ）と通信し、また、ＮＡＳ（Non-Access  Stratum）制御用のＭＭＥ（mobility  management  entity）、サービング・ゲートウェイ等を含むコアネットワークと通信するように構成される。
【０００４】
ＬＴＥ‐Ａｄｖａｎｃｅｄ（ＬＴＥ−Ａ）システムは、その名が示すように、ＬＴＥシステムの進化型である。ＬＴＥ−Ａシステムは、電力状態の切替えを速くすることを目的とし、ｅＮＢのカバレッジ端での性能を改善し、キャリアアグリゲーション（ＣＡ）、協調マルチポイント（coordinated  multipoint；ＣｏＭＰ）送受信、アップリンク多重入出力（uplink  multiple-input  multiple-output；ＵＬ−ＭＩＭＯ）等の高度な技術を含む。ＵＥとｅＮＢがＬＴＥ−Ａシステム内で互いに通信するには、ＵＥとｅＮＢは、ＬＴＥ−Ａシステム用に開発された規格、例えば３ＧＰＰリリース１０以降の規格をサポートしなければならない。
【０００５】
ＵＥは、デュアル・コネクティビティ（dual  connectivity）を備えるように構成される場合、２つのｅＮＢによって送信されたパケット（例えばトランスポートブロック（ＴＢ））を受信する場合がある。ここで、ｅＮＢの一方はマスターｅＮＢ（ＭｅＮＢ）であり、他方のｅＮＢはセカンダリｅＮＢ（ＳｅＮＢ）である。ＵＥのスループットは、デュアル・コネクティビティが動作すると改善される。しかしながら、ＵＥとｅＮＢとの間の無線リンクは、無線リンクの特性上、安定でない場合がある。例えば、ＵＥとＳｅＮＢとの間で無線リンク障害が発生するおそれがある。ＵＥとＳｅＮＢとの間で無線リンク障害が発生すると、ＵＥは、ＳｅＮＢに関する測定構成（measurement  configuration）をどのように処理するべきかを把握できない。また、ＭｅＮＢは、無線リンク障害をどのように処理すべきかを把握できない。例えば、ＭｅＮＢは無線リンク障害が回復したか否かを把握できず、対応する工程が実行されないおそれがある。
【０００６】
このように、測定構成と無線リンク障害の回復とをどのように処理するのかは、重要な検討事項である。
【発明の概要】
【発明が解決しようとする課題】
【０００７】
したがって、上記課題を解決するために、本発明は、測定構成（measurement  configuration）を処理するための通信デバイスを提供する。
【課題を解決するための手段】
【０００８】
測定構成（measurement  configuration）を処理するための通信デバイスは、記憶部と、記憶部に結合される処理手段とを備える。処理手段は、記憶部に格納される命令を実行するように構成される。命令は、マスター基地局およびセカンダリ基地局と通信する命令と、マスター基地局と通信しながら、セカンダリ基地局に関するリンク障害を検出する命令と、リンク障害の検出に応答して、マスター基地局の第１の搬送波を測定するための第１の測定構成を保持し、セカンダリ基地局の第２の搬送波を測定するための第２の測定構成を削除する命令と、リンク障害を示すメッセージをマスター基地局に送信する命令と、を含む。
【０００９】
測定構成を処理するための通信デバイスは、記憶部と、記憶部に結合される処理手段とを備える。処理手段は、記憶部に格納される命令を実行するように構成される。命令は、マスター基地局およびセカンダリ基地局と通信する命令と、マスター基地局と通信しながら、セカンダリ基地局に関するリンク障害を検出する命令と、リンク障害の検出に応答して、マスター基地局の第１の搬送波を測定するための第１の測定構成を保持し、セカンダリ基地局の第２の搬送波を測定するための第２の測定構成を保持する命令と、リンク障害を示すメッセージをマスター基地局に送信する命令と、を含む。
【００１０】
本発明のこれらの目的および他の目的は、様々な図面に図示される以下の好ましい実施形態の詳細な説明を読めば、当該技術分野の当業者には間違いなく明らかになるであろう。
【図面の簡単な説明】
【００１１】
【図１】本発明の一実施例に係る無線通信システムの概略図である。
【図２】本発明の一実施例に係る通信デバイスの概略図である。
【図３】本発明の一実施例に係るプロセスのフローチャートである。
【図４】本発明の一実施例に係るプロセスのフローチャートである。
【発明を実施するための形態】
【００１２】
図１は、本発明の一実施例に係る無線通信システム１０の概略図である。無線通信システム１０は、簡略的には、ユーザーイクイップメント（ＵＥ）１００と基地局（ＢＳ）１０２および１０４とを備える。図１において、ＵＥ１００、ＢＳ１０２およびＢＳ１０４は、無線通信システム１０の構造を示すために利用されるに過ぎない。実際、ＢＳ１０２および／またはＢＳ１０４は、Ｅ−ＵＴＲＡＮ（evolved  universal  terrestrial  radio  access  network）、ロング・ターム・エボリューション（ＬＴＥ）システム、ＬＴＥ‐Ａｄｖａｎｃｅｄ（ＬＴＥ−Ａ）システムまたはＬＴＥ−Ａシステムの進化型のｅＮＢ（evolved  NB）および／または中継基地局であってよい。無線通信システム１０は、時分割二重（ＴＤＤ）システム（すなわち、ＴＤＤモードが動作する）または周波数分割二重（ＦＤＤ）システム（すなわち、ＦＤＤモードが動作する）であってよい。図１において、ＢＳ１０２とＢＳ１０４のカバレッジ領域は、部分的に重複してよい。
【００１３】
図１に示すように、ＵＥ１００は、ＵＥ１００に対して構成されるデュアル・コネクティビティに従って、ＢＳ１０２およびＢＳ１０４と同時に通信するように構成されてよい。すなわち、ＵＥ１００は、ＢＳ１０２およびＢＳ１０４の両方を介して送受信を行ってよい。例えば、ＵＥ１００は、デュアル・コネクティビティに従って、ＢＳ１０２およびＢＳ１０４からパケット（例えばトランスポートブロック（ＴＢ））を受信してよい。或いは、ＵＥ１００は、デュアル・コネクティビティに従って、ＢＳ１０２およびＢＳ１０４にパケット（例えばＴＢ）を送信してよい。一般に、ＵＥ１００がＢＳ１０２とＢＳ１０４の両方からパケットを受信する場合、ＵＥ１００が、デュアル・コネクティビティに従って、ＢＳ１０２の少なくとも１つのセルとＢＳ１０４の少なくとも１つのセルとからパケットを受信することを意味する。同様に、ＵＥ１００がＢＳ１０２とＢＳ１０４の両方にパケットを送信する場合、ＵＥ１００が、デュアル・コネクティビティに従って、ＢＳ１０２の少なくとも１つのセルおよび／またはＢＳ１０４の少なくとも１つのセルにパケットを送信することを意味する。さらに、３ＧＰＰで定義されるデュアル・コネクティビティに従って、ＢＳ１０２とＢＳ１０４とのうち一方がマスターｅＮＢ（ＭｅＮＢ）であってよく、ＢＳ１０２とＢＳ１０４とのうち他方がセカンダリｅＮＢ（ＳｅＮＢ）であってよい。ＵＥ１００と通信するＭｅＮＢのセルのうち１つはプライマリセル（Ｐセル）であってよく、ＭｅＮＢのその他のセル（利用可能な場合）はセカンダリセル（Ｓセル）であってよい。ＵＥ１００と通信するＳｅＮＢのセルのうち１つはプライマリＳセル（ＰＳセル）であってよく、ＳｅＮＢのその他のセル（利用可能な場合）はＳセルであってよい。
【００１４】
ＵＥ１００は、低価格のデバイス（例えばマシン型通信（ＭＴＣ）デバイス）、Ｄ２Ｄ（device-to-device）デバイス、携帯電話、ラップトップ、タブレットコンピューター、電子書籍リーダー、ポータブル・コンピューター・システム、またはそれらの組合わせであってよい。さらに、ＵＥ１００、ＢＳ１０２またはＢＳ１０４は、その送信方向に従って受信器または送信器とみなされてよい。例えば、アップリンク（ＵＬ）の場合、ＵＥ１００が送信器であり、ＢＳ１０２および／またはＢＳ１０４が受信器である。ダウンリンク（ＤＬ）の場合、ＢＳ１０２および／またはＢＳ１０４が送信器であり、ＵＥ１００が受信器である。
【００１５】
図２は、本発明の一実施例に係る通信デバイス２０の概略図である。通信デバイス２０は、図１に示すＵＥ１００、ＢＳ１０２および／またはＢＳ１０４であってよいが、本明細書では限定されない。通信デバイス２０は、処理手段２００（例えばマイクロプロセッサまたは特定用途向け集積回路（application  specific  integrated  circuit；ＡＳＩＣ））、記憶部２１０および通信インターフェース部２２０を有してよい。記憶部２１０は、処理手段２００によってアクセスされ実行されるプログラムコード２１４を格納可能な任意のデータ記憶装置であってよい。記憶部２１０の例として、加入者識別モジュール（subscriber  identity  module；ＳＩＭ）、読出専用メモリ（read-only  memory；ＲＯＭ）、フラッシュメモリ、ランダム・アクセス・メモリ（ＲＡＭ）、コンパクトディスク読出専用メモリ（ＣＤ−ＲＯＭ）、ＤＶＤ−ＲＯＭ、Ｂｌｕ−ｒａｙ（登録商標）  Ｄｉｓｃ−ＲＯＭ（ＢＤ−ＲＯＭ）、磁気テープ、ハードディスク、光データ記憶装置、不揮発性記憶装置、非一時的コンピューター可読媒体（例えば有形媒体（tangible  media））等が挙げられるが、これらに限定されない。通信インターフェース部２２０は送受信器であることが好ましく、処理手段２００の処理結果に従って信号（例えばデータ、信号、メッセージおよび／またはパケット）を送信および受信する際に用いられる。
【００１６】
図３は、本発明の一実施例に係るプロセス３０のフローチャートである。プロセス３０は、通信デバイス（例えばＵＥ１００）において、リンク障害を処理するために利用されてよい。プロセス３０はプログラムコード２１４にコンパイルされてよく、以下のステップを含む。
【００１７】
ステップ３００：開始。
【００１８】
ステップ３０２：マスターＢＳおよびセカンダリＢＳと通信する。
【００１９】
ステップ３０４：マスターＢＳと通信しながら、セカンダリＢＳに関するリンク障害を検出する。
【００２０】
ステップ３０６：リンク障害の検出に応答して、マスターＢＳの第１の搬送波を測定するための第１の測定構成（measurement  configuration）を保持し、セカンダリＢＳの第２の搬送波を測定するための第２の測定構成を削除する。
【００２１】
ステップ３０８：リンク障害を示すメッセージをマスターＢＳに送信する。
【００２２】
ステップ３１０：終了。
【００２３】
プロセス３０によれば、通信デバイスは、例えばデュアル・コネクティビティに従って、マスターＢＳ（例えばＢＳ１０２）およびセカンダリＢＳ（例えばＢＳ１０４）と通信する。通信デバイスは、マスターＢＳと通信しながら、セカンダリＢＳに関するリンク障害（例えば無線リンク障害）を検出してよい。そして、通信デバイスはリンク障害の検出に応答して、マスターＢＳの第１の搬送波（例えば第１のＤＬ搬送波）を測定するための第１の測定構成を保持し、セカンダリＢＳの第２の搬送波（例えば第２のＤＬ搬送波）を測定するための第２の測定構成を削除し、リンク障害を示すメッセージをマスターＢＳに送信する。すなわち、通信デバイスは、第２の測定構成がリリースされた後は第２の搬送波の測定レポートを送信しない。さらに、測定レポートが送信されることはないので、通信デバイスは、測定にかかる電力消費を節約するために第２の搬送波の測定を停止してよい。したがって、マスターＢＳは、メッセージの受信後に、通信デバイスによって示されるリンク障害に従ってリンク障害を処理することができる。さらに、通信デバイスは、第２の測定構成に従って不必要な測定レポートを送信する必要がない。
【００２４】
図４は、本発明の一実施例に係るプロセス４０のフローチャートである。プロセス４０は、通信デバイス（例えばＵＥ１００）において、リンク障害を処理するために利用されてよい。プロセス４０はプログラムコード２１４にコンパイルされてよく、以下のステップを含む。
【００２５】
ステップ４００：開始。
【００２６】
ステップ４０２：マスターＢＳおよびセカンダリＢＳと通信する。
【００２７】
ステップ４０４：マスターＢＳと通信しながら、セカンダリＢＳに関するリンク障害を検出する。
【００２８】
ステップ４０６：リンク障害の検出に応答して、マスターＢＳの第１の搬送波を測定するための第１の測定構成を保持し、セカンダリＢＳの第２の搬送波を測定するための第２の測定構成を保持する。
【００２９】
ステップ４０８：リンク障害を示すメッセージをマスターＢＳに送信する。
【００３０】
ステップ４１０：終了。
【００３１】
プロセス４０によれば、通信デバイスは、例えばデュアル・コネクティビティに従って、マスターＢＳ（例えばＢＳ１０２）およびセカンダリＢＳ（例えばＢＳ１０４）と通信する。通信デバイスは、マスターＢＳと通信しながら、セカンダリＢＳに関するリンク障害（例えば無線リンク障害）を検出してよい。そして、通信デバイスは、マスターＢＳの第１の搬送波（例えば第１のＤＬ搬送波）を測定するための第１の測定構成を保持し、セカンダリＢＳの第２の搬送波（例えば第２のＤＬ搬送波）を測定するための第２の測定構成を保持し、リンク障害を示すメッセージをマスターＢＳに送信する。第１の測定構成および第２の測定構成が保持されるので、通信デバイスは、第１の測定構成に従ってマスターＢＳの第１の搬送波の第１の測定レポートを送信してよく、また、第２の測定構成に従って第２の搬送波の第２の測定レポートをマスターＢＳに送信してよい。マスターＢＳは、第２の測定レポートに従って、リンク障害をどのように処理するかを決定してよい。
【００３２】
本発明のプロセス４０の実現は上記に限定されない。一実施例において、通信デバイスは、第２の測定構成以外に、第２の搬送波を測定するための他の測定構成を少なくとも１つ（例えば、他の測定構成の全て）保持してよい。同様に、第２のＢＳの第３の搬送波（例えば第３のＤＬ搬送波）が通信デバイスに設定される場合、通信デバイスは、第３の搬送波を測定するための測定構成を全て保持してよい。
【００３３】
別の実施例において、プロセス４０はプロセス３０と組み合わされてよい。通信デバイスは、第２の搬送波を測定するための第３の測定構成をリリースしてよい。すなわち、第２の搬送波の測定のために２つの測定構成が設定され、測定構成のうち一方が保持され、他方の測定構成（すなわち第３の測定構成）がリンク障害に起因してリリースされる。例えば、第２の搬送波は、リリースされた測定構成に従ってサービング（serving）周波数として扱われてよく、リリースされた測定構成は、レポート・トリガ・イベント（reporting  triggering  event）Ａ１、Ａ２またはＡ６を含んでよい。第２の搬送波は、保持された測定構成に従って隣接周波数として扱われてよく、保持された測定構成は、レポート・トリガ・イベントＡ３、Ａ４またはＡ５を含んでよい。一実施例において、第２の測定構成は、マスターＢＳが第２の搬送波上のセカンダリＢＳの別のセルにセルを追加する、またはセカンダリＢＳの別のセルを追加するための、レポート・トリガ・イベントを含んでよい。一実施例において、第２の測定構成はレポート・トリガ・イベントＡ１、Ａ２またはＡ６を含んでよい。
【００３４】
本発明のプロセス３０およびプロセス４０の実現は上記に限定されない。以下の記載は、プロセス３０およびプロセス４０に対して実現されてよい。
【００３５】
第１の搬送波は、マスターＢＳのセルに属するＤＬ成分搬送波であってよい。第２の搬送波は、セカンダリＢＳのセルに属するＤＬ成分搬送波であってよい。一実施例において、マスターＢＳはＭｅＮＢであってよく、セカンダリＢＳはＳｅＮＢであってよい。ＭｅＮＢのセルはＰセルであってよく、ＳｅＮＢのセルはＰＳセルであってよい。第３の搬送波は、ＳｅＮＢの別のセルに属するＤＬ成分搬送波であってよい。このＳｅＮＢの別のセルは、Ｓセルであってよい。リンク障害は、ＰＳセル側で検出される無線リンク障害、ランダムアクセス問題またはＲＬＣ再送問題であってよい。通信デバイスとＭｅＮＢとの間にはＲＲＣ接続があってよく、通信デバイスは、ＭｅＮＢおよびＳｅＮＢと通信するように構成されてよい（すなわちデュアル・コネクティビティ）。通信デバイスは、リンク障害を示すメッセージを、ＲＲＣ接続のシグナリング無線ベアラ（Signalling  Radio  Bearer；ＳＲＢ）１を介して、ＭｅＮＢに送信する。ＭｅＮＢは、リンク障害を示すメッセージと、第３の搬送波を測定するための測定構成に対応する測定レポートとを受信した後、その他のセルをＰＳセルとして構成してよい。
【００３６】
一実施例において、例えばリンク障害が検出される前に、マスターＢＳによって送信される第１のRRCConnectionReconfigurationによって第１の測定構成が構成されてよく、マスターＢＳによって送信される第２のRRCConnectionReconfigurationによって第２の測定構成が構成されてよい。一実施例において、通信デバイスはさらに、セカンダリＢＳの第２の成分上のセルの構成を維持してよい。すなわち、セカンダリＢＳに関するリンク障害が検出された後、第２の搬送波上のセルが保持されてよい。セカンダリＢＳに関するリンク障害が検出された後、第３の搬送波上のその他のセルが保持されてよい。
【００３７】
さらに、通信デバイスは、セカンダリＢＳに関するリンク障害を検出した後は、セルへの送信を実行しない。なぜなら、送信により、別のＢＳのセルに対する干渉が発生するおそれがあるからである。さらに、通信デバイスは、セカンダリＢＳに関するリンク障害を検出した後、第２の搬送波上のセカンダリＢＳのセルからのＰＤＣＣＨのモニタリングを停止してよい。したがって、プロセス４０において、ＰＤＣＣＨがモニタリングされず、かつ／またはセルへの送信が実行されない一方、通信デバイスは第２の測定構成に従って、第２の搬送波の測定レポートを送信する。マスターＢＳは、測定レポートを受信した後、ＰＤＣＣＨのモニタリングを再開するか、セカンダリＢＳへの送信を実行するか、またはセカンダリＢＳのセルをリリースするように通信デバイスを構成するために、RRCConnectionReconfigurationを送信するか否かを決定することができる。このように、マスターＢＳは、通信デバイスによって示されたリンク障害に従って、メッセージを受信した後に、リンク障害を処理することができる。さらに、通信デバイスは、第２の測定構成の従って測定レポートをマスターＢＳに送信した後、停止された工程の再開についての通知をマスターＢＳから受信可能であってよい。
【００３８】
一実施例において、通信デバイスは、第２の測定構成に従って、測定レポートをマスターＢＳに送信してよい。したがって、通信デバイスは、ＰＤＣＣＨのモニタリングと第２の搬送波上のセカンダリＢＳのセルへの送信とを再開するように通信デバイスを構成するために、RRCConnectionReconfigurationを受信してよい。ここで、RRCConnectionReconfigurationは、測定レポートに従って、マスターＢＳによって送信される。すなわち、マスターＢＳは、停止された工程を受信された測定レポートに従って再開するように、通信デバイスを構成することができる。別の実施例において、通信デバイスは、第２の測定構成に従って、測定レポートをマスターＢＳに送信してよい。したがって、通信デバイスは、第２の搬送波上のセカンダリＢＳのセルをリリースするように通信デバイスを構成するために、RRCConnectionReconfigurationを受信してよい。ここで、RRCConnectionReconfigurationは、測定レポートに従って、マスターＢＳによって送信される。すなわち、マスターＢＳは、受信された測定レポートに従ってセルを完全にリリースするように、通信デバイスを構成することができる。
【００３９】
上述の搬送波（ＵＬ搬送波またはＤＬ搬送波）は、ＦＤＤモード用のＦＤＤ搬送波またはＴＤＤモード用のＴＤＤ搬送波であってよい。ＦＤＤ搬送波は、同じ送信方向のサブフレーム（例えばＵＬまたはＤＬ）を含むことができる。ＴＤＤ搬送波は、異なる送信方向のサブフレームを含むことができ、サブフレームの送信方向は、ＴＤＤ搬送波のＵＬ／ＤＬ構成に従って決定される。
【００４０】
当該技術分野の当業者であれば、上記の説明および実施例に基づいて、組合わせ、変更および／または変形を容易に成せるはずである。提案のステップを含むプロセスの上記ステップは、ハードウェア、ハードウェアデバイスとハードウェアデバイス上の読出専用ソフトウェアに存在するコンピューター命令およびデータとの組合わせとして知られるファームウェア、または電子システムであってよい手段によって実現することができる。ハードウェアの例としては、超小型回路、マイクロチップまたはシリコンチップとして知られるアナログ、デジタルおよび混在回路が挙げられる。電子システムの例としては、システム・オン・チップ（ＳＯＣ）、システム・イン・パッケージ（ＳＩＰ）、コンピューター・オン・モジュール（ＣＯＭ）および通信デバイス２０が挙げられる。
【００４１】
要約すれば、本発明によれば、通信デバイスがリンク障害の発生した搬送波の測定構成を処理し、それに対応して、測定構成によってトリガされる測定レポートを処理（例えば送信）することができる。通信デバイスはさらに、マスターＢＳがリンク障害を処理できるように、マスターＢＳにメッセージを送信する。このように、通信デバイスおよびマスターＢＳの工程が定期的に実行される。
【００４２】
当該技術分野の当業者であれば、本発明の教示を保ちながら装置および方法の多くの変更および変形が可能であることに容易に気付くであろう。したがって、上記の開示は、添付の特許請求の範囲の要素および範囲によってのみ限定されるものと解釈されるべきである。
【図１】
0006031555.tif 000002
【図２】
0006031555.tif 000003
【図３】
0006031555.tif 000004
【図４】
0006031555.tif 000005